(57)【要約】【課題】景品を速やかに選択することができ、不足した景品をタイムリーに注文することができる発注システムを提供する。【解決手段】発注システム１０は、アミューズメント施設１１，１２に設置されたクライアント端末１３，１４と、各種複数の景品を施設１１，１２に納入する仕入先１５，１６に設置されたクライアント端末１７，１８と、それら景品に関する各種情報をそれら端末１３，１４，１７，１８に提供するサーバ１９とから形成されている。サーバ１９は、景品の景品データを記憶する景品データ第１記憶手段と、端末１３，１４が景品データを要求したときに、それら景品データを端末１３，１４に送信する景品データ第１送信手段と、端末１３，１４がそれら景品データの中から仕入先１５，１６に発注する景品データを選択したときに、その景品データを端末１７，１８に送信する景品データ第２送信手段とを有する。【選択図】図１
2009301255.tif 000002
【特許請求の範囲】
【請求項１】
複数のアミューズメント施設に設置された第１端末装置と、それらアミューズメント施設の利用者に提供する各種複数の景品を該アミューズメント施設に納入する各仕入先に設置された第２端末装置と、それら景品に関する各種情報をインターネットを介してそれら端末装置に提供するサーバ装置とから形成され、
前記サーバ装置が、前記各種複数の景品の景品データを記憶する景品データ第１記憶手段と、前記第１端末装置が前記景品データを要求したときに、それら景品データを該第１端末装置に送信する景品データ第１送信手段と、前記第１端末装置がそれら景品データの中から前記仕入先に発注する景品データを選択したときに、選択された景品データを前記第２端末装置に送信する景品データ第２送信手段とを有する発注システム。
【請求項２】
前記景品データ第１記憶手段では、前記景品データを景品の各景品種別毎に区分して記憶し、前記景品データ第１送信手段では、前記第１端末装置がそれら景品種別の中から少なくとも一つのそれを選択したときに、選択された景品種別に対応する景品データを該第１端末装置に送信する請求項１記載の発注システム。
【請求項３】
前記景品データ第１記憶手段では、前記景品データを景品の各製造メーカー毎に区分して記憶し、前記景品データ第１送信手段では、前記第１端末装置がそれらメーカーの中から少なくとも一つのそれを選択したときに、選択されたメーカーに対応する景品データを該第１端末装置に送信する請求項１または請求項２に記載の発注システム。
【請求項４】
前記景品データ第１記憶手段では、前記景品データを景品の各イメージキャラクター毎に区分して記憶し、前記景品データ第１送信手段では、前記第１端末装置がそれらキャラクターの中から少なくとも一つのそれを選択したときに、選択されたキャラクターに対応する景品データを該第１端末装置に送信する請求項１ないし請求項３いずれかに記載の発注システム。
【請求項５】
前記景品データ第１記憶手段では、前記景品データを景品の各サイズ毎に区分して記憶し、前記景品データ第１送信手段では、前記第１端末装置がそれらサイズの中から少なくとも一つのそれを選択したときに、選択されたサイズに対応する景品データを該第１端末装置に送信する請求項１ないし請求項４いずれかに記載の発注システム。
【請求項６】
前記景品データ第１記憶手段では、前記景品データを景品の各価格帯毎に区分して記憶し、前記景品データ第１送信手段では、前記第１端末装置がそれら価格帯の中から少なくとも一つのそれを選択したときに、選択された価格帯に対応する景品データを該第１端末装置に送信する請求項１ないし請求項５いずれかに記載の発注システム。
【請求項７】
前記景品データ第１記憶手段では、前記景品データを景品の各コード毎に区分して記憶し、前記景品データ第１送信手段では、前記第１端末装置がそれらコードの中から少なくとも一つのそれを選択したときに、選択されたコードに対応する景品データを該第１端末装置に送信する請求項１ないし請求項６いずれかに記載の発注システム。
【請求項８】
前記景品データ第１記憶手段では、前記景品データを景品の各景品名毎に区分して記憶し、前記景品データ第１送信手段では、前記第１端末装置がそれら景品名の中から少なくとも一つのそれを選択したときに、選択された景品名に対応する景品データを該第１端末装置に送信する請求項１ないし請求項７いずれかに記載の発注システム。
【請求項９】
前記サーバ装置が、過去から現在までに前記第２端末装置に送信した景品データを記憶する景品データ第２記憶手段と、前記第１端末装置が前記第２端末装置に送信した景品データの中から現在に近い過去の指定期間内の景品データを要求したときに、前記指定期間内の景品データを該第１端末装置に送信する景品データ第３送信手段と、前記第１端末装置が前記指定期間内の景品データの中から前記仕入先に発注する景品データを選択したときに、選択された景品データを前記第２端末装置に送信する景品データ第４送信手段とを有する請求項１ないし請求項８いずれかに記載の発注システム。
【請求項１０】
前記景品データ第３送信手段では、前記第１端末装置が前記指定期間内の景品データのうち、該景品データの数を指定したときに、前記指定期間内であって指定された数の景品データを該第１端末装置に送信する請求項９記載の発注システム。
【請求項１１】
前記景品データ第２記憶手段では、前記過去から現在までの景品データを景品の各景品種別毎に区分して記憶し、前記景品データ第３送信手段では、前記第１端末装置がそれら景品種別の中から少なくとも一つのそれを選択したときに、前記指定期間内の景品データのうち、選択された景品種別に対応する景品データを該第１端末装置に送信する請求項９または請求項１０に記載の発注システム。
【請求項１２】
前記景品データ第２記憶手段では、前記過去から現在までの景品データを景品の各製造メーカー毎に区分して記憶し、前記景品データ第３送信手段では、前記第１端末装置がそれらメーカーの中から少なくとも一つのそれを選択したときに、前記指定期間内の景品データのうち、選択されたメーカーに対応する景品データを該第１端末装置に送信する請求項９ないし請求項１１いずれかに記載の発注システム。
【請求項１３】
前記景品データ第２記憶手段では、前記過去から現在までの景品データを景品の各イメージキャラクター毎に区分して記憶し、前記景品データ第３送信手段では、前記第１端末装置がそれらキャラクターの中から少なくとも一つのそれを選択したときに、前記指定期間内の景品データのうち、選択されたキャラクターに対応する景品データを該第１端末装置に送信する請求項９ないし請求項１２いずれかに記載の発注システム。
【請求項１４】
前記景品データ第２記憶手段では、前記過去から現在までの景品データを景品の各サイズ毎に区分して記憶し、前記景品データ第３送信手段では、前記第１端末装置がそれらサイズの中から少なくとも一つのそれを選択したときに、前記指定期間内の景品データのうち、選択されたサイズに対応する景品データを該第１端末装置に送信する請求項９ないし請求項１３いずれかに記載の発注システム。
【請求項１５】
前記景品データ第２記憶手段では、前記過去から現在までの景品データを景品の各価格帯毎に区分して記憶し、前記景品データ第１送信手段では、前記第１端末装置がそれら価格帯の中から少なくとも一つのそれを選択したときに、前記指定期間内の景品データのうち、選択された価格帯に対応する景品データを該第１端末装置に送信する請求項９ないし請求項１４いずれかに記載の発注システム。
【発明の詳細な説明】
【技術分野】
【０００１】
本発明は、インターネットを利用して各種の景品を発注する発注システムに関する。
【背景技術】
【０００２】
購買者から物品の注文を受け付ける注文受付部と、物品を購買者へ供給する供給先の優先順位、供給先の取扱品、供給先が物品を購買者へ供給できるか否かを示すデータを記憶したデータベースと、そのデータベースを参照し、物品を購買者へ供給する供給先を特定する供給先特定部と、特定した供給先へ物品を発注する注文発注部とから形成された受発注管理システムがある（特許文献１参照）。
【０００３】
データベースには、注文品を購買者に供給する供給先の優先順位を示す優先順位データ、供給先の取扱品を示す取扱品データ、供給先が注文品を供給できるか否かを示す供給可否データ、供給先毎に供給可能な購買者または供給不可能な購買者を定義した供給可能先データが格納されている。供給先特定部は、優先順位の高いものから順に供給先を選択する供給先選択部と、選択した供給先が物品を供給できるか否かを判断する供給可否判断部とを有する。この受発注管理システムは、データベースを参照して供給先を特定することにより、物品の供給先として最適なそれを選択することができる。
【特許文献１】特開２００７−２１９９２６号公報
【発明の開示】
【発明が解決しようとする課題】
【０００４】
前記特許文献１に開示の受発注管理システムは、購買者が購入する物品を注文した後、データベースに格納された各データを利用してその物品の供給先を決定するが、購買者の注文時に注文品の一覧が表示されることはない。購買者は、物品を注文する際に、各所に散在するカタログ雑誌や発注書、取引伝票等の複数の取引書類を見ながら希望の物品を探さなければならず、手間と時間とを要する。購買者がアミューズメント施設である場合、そこで提供される景品は多岐に亘るとともに、遊技機における景品の品不足を防がなければならないことから、遊技機に景品を常時供給し得る体勢を整えておく必要がある。そのためには、アミューズメント施設において不足した景品を速やかに注文し、その景品を直ちに補充しなければならない。しかし、景品を仕入先に注文する際、景品を複数の取引書類から探し出さなければならず、その作業に相当の時間を要する。アミューズメント施設では、景品を取引書類から選択する場合、不足した景品をタイムリーに注文することができない場合があり、景品の品切れを起こす場合がある。
【０００５】
また、売れ筋物品や人気物品を把握し、それらの物品を大量に発注することは売上を延ばす上で重要であるが、特許文献１に開示の受発注管理システムでは、現在に近い過去の所定期間内に注文した注文品の一覧が表示されることはないから、売れ筋物品や人気物品が分からず、売れ筋物品や人気物品を具体的に把握することができない。したがって、売れ筋の人気の物品を発注することができず、売上の向上を図ることが難しい。
【０００６】
本発明の目的は、景品を速やかに選択することができ、不足した景品をタイムリーに注文することができる発注システムを提供することにある。本発明に他の目的は、売れ筋景品や人気景品を具体的に把握することができ、売上の向上を図ることができる発注システムを提供することにある。
【課題を解決するための手段】
【０００７】
前記課題を解決するための本発明にかかる発注システムは、複数のアミューズメント施設に設置された第１端末装置と、それらアミューズメント施設の利用者に提供する各種複数の景品を該アミューズメント施設に納入する各仕入先に設置された第２端末装置と、それら景品に関する各種情報をインターネットを介してそれら端末装置に提供するサーバ装置とから形成され、サーバ装置が、各種複数の景品の景品データを記憶する景品データ第１記憶手段と、第１端末装置が景品データを要求したときに、それら景品データを第１端末装置に送信する景品データ第１送信手段と、第１端末装置がそれら景品データの中から仕入先に発注する景品データを選択したときに、選択された景品データを第２端末装置に送信する景品データ第２送信手段とを有することを特徴とする。
【０００８】
本発明にかかる発注システムの一例として、景品データ第１記憶手段では、景品データを景品の各景品種別毎に区分して記憶し、景品データ第１送信手段では、第１端末装置がそれら景品種別の中から少なくとも一つのそれを選択したときに、選択された景品種別に対応する景品データを第１端末装置に送信する。
【０００９】
本発明にかかる発注システムの他の一例として、景品データ第１記憶手段では、景品データを景品の各製造メーカー毎に区分して記憶し、景品データ第１送信手段では、第１端末装置がそれらメーカーの中から少なくとも一つのそれを選択したときに、選択されたメーカーに対応する景品データを該第１端末装置に送信する。
【００１０】
本発明にかかる発注システムの他の一例として、景品データ第１記憶手段では、景品データを景品の各イメージキャラクター毎に区分して記憶し、景品データ第１送信手段では、第１端末装置がそれらキャラクターの中から少なくとも一つのそれを選択したときに、選択されたキャラクターに対応する景品データを第１端末装置に送信する。
【００１１】
本発明にかかる発注システムの他の一例として、景品データ第１記憶手段では、景品データを景品の各サイズ毎に区分して記憶し、景品データ第１送信手段では、第１端末装置がそれらサイズの中から少なくとも一つのそれを選択したときに、選択されたサイズに対応する景品データを第１端末装置に送信する。
【００１２】
本発明にかかる発注システムの他の一例として、景品データ第１記憶手段では、景品データを景品の各価格帯毎に区分して記憶し、景品データ第１送信手段では、第１端末装置がそれら価格帯の中から少なくとも一つのそれを選択したときに、選択された価格帯に対応する景品データを第１端末装置に送信する。
【００１３】
本発明にかかる発注システムの他の一例として、景品データ第１記憶手段では、景品データを景品の各コード毎に区分して記憶し、景品データ第１送信手段では、第１端末装置がそれらコードの中から少なくとも一つのそれを選択したときに、選択されたコードに対応する景品データを第１端末装置に送信する。
【００１４】
本発明にかかる発注システムの他の一例として、景品データ第１記憶手段では、景品データを景品の各景品名毎に区分して記憶し、景品データ第１送信手段では、第１端末装置がそれら景品名の中から少なくとも一つのそれを選択したときに、選択された景品名に対応する景品データを第１端末装置に送信する。
【００１５】
本発明にかかる発注システムの他の一例としては、サーバ装置が、過去から現在までに第２端末装置に送信した景品データを記憶する景品データ第２記憶手段と、第１端末装置が第２端末装置に送信した景品データの中から現在に近い過去の指定期間内の景品データを要求したときに、指定期間内の景品データを第１端末装置に送信する景品データ第３送信手段と、第１端末装置が指定期間内の景品データの中から仕入先に発注する景品データを選択したときに、選択された景品データを第２端末装置に送信する景品データ第４送信手段とを有する。
【００１６】
本発明にかかる発注システムの他の一例として、景品データ第３送信手段では、第１端末装置が指定期間内の景品データのうち、景品データの数を指定したときに、指定期間内であって指定された数の景品データを第１端末装置に送信する。
【００１７】
本発明にかかる発注システムの他の一例として、景品データ第２記憶手段では、過去から現在までの景品データを景品の各景品種別毎に区分して記憶し、景品データ第３送信手段では、第１端末装置がそれら景品種別の中から少なくとも一つのそれを選択したときに、指定期間内の景品データのうち、選択された景品種別に対応する景品データを第１端末装置に送信する。
【００１８】
本発明にかかる発注システムの他の一例として、景品データ第２記憶手段では、過去から現在までの景品データを景品の各製造メーカー毎に区分して記憶し、景品データ第３送信手段では、第１端末装置がそれらメーカーの中から少なくとも一つのそれを選択したときに、指定期間内の景品データのうち、選択されたメーカーに対応する景品データを第１端末装置に送信する。
【００１９】
本発明にかかる発注システムの他の一例として、景品データ第２記憶手段では、過去から現在までの景品データを景品の各イメージキャラクター毎に区分して記憶し、景品データ第３送信手段では、第１端末装置がそれらキャラクターの中から少なくとも一つのそれを選択したときに、指定期間内の景品データのうち、選択されたキャラクターに対応する景品データを第１端末装置に送信する。
【００２０】
本発明にかかる発注システムの他の一例として、景品データ第２記憶手段では、過去から現在までの景品データを景品の各サイズ毎に区分して記憶し、景品データ第３送信手段では、第１端末装置がそれらサイズの中から少なくとも一つのそれを選択したときに、指定期間内の景品データのうち、選択されたサイズに対応する景品データを第１端末装置に送信する。
【００２１】
本発明にかかる発注システムの他の一例として、景品データ第２記憶手段では、過去から現在までの景品データを景品の各価格帯毎に区分して記憶し、景品データ第１送信手段では、第１端末装置がそれら価格帯の中から少なくとも一つのそれを選択したときに、指定期間内の景品データのうち、選択された価格帯に対応する景品データを第１端末装置に送信する。
【発明の効果】
【００２２】
本発明にかかるに係る発注システムによれば、サーバ装置が各種複数の景品の景品データを記憶し、それら景品情報が電子データとしてサーバ装置に一元的に管理され、インターネットを介して景品データがサーバ装置から第１端末装置に送信されるから、第１端末装置を介して各種複数の景品データの中から必要なそれを迅速に検索することができる。発注システムは、第１端末装置において各種複数の景品データの中から希望のそれを選択することができ、各アミューズメント施設において各所に散在するカタログ雑誌や発注書、取引伝票等の複数の取引書類を手でめくりながら景品を探し出す必要はなく、発注する景品を速やかに選び出すことができる。また、第１端末装置において選択された発注予定の景品データがサーバ装置から第２端末装置に送信されるから、仕入先において景品の手配や配送準備等の納品作業を速やかに行うことができる。この発注システムは、それを利用することで、不足した景品を仕入先にタイムリーかつ迅速に注文することができ、仕入先からアミューズメント施設に景品が迅速に納品されるから、各アミューズメント施設における景品の品切れを防ぐことができる。
【００２３】
サーバ装置が景品データを景品の各景品種別毎に区分して記憶しつつ、選択された景品種別に対応する景品データを第１端末装置に送信する発注システムは、景品の景品種別情報が電子データとしてサーバ装置に一元的に管理され、第１端末装置によって景品種別を検索することができ、第１端末装置を介して各種複数の景品データの中から希望の景品種別の景品データのみを迅速に検索することができる。この発注システムは、希望の景品種別を選択することが可能であり、景品種別を選択しつつその景品種別に属する景品データの中から発注する景品を選ぶことができ、景品種別を手がかりとして発注する景品を各アミューズメント施設において速やかに選び出すことができる。
【００２４】
サーバ装置が景品データを景品の各製造メーカー毎に区分して記憶しつつ、選択されたメーカーに対応する景品データを第１端末装置に送信する発注システムは、景品の製造メーカー情報が電子データとしてサーバ装置に一元的に管理され、第１端末装置によってメーカーを検索することができ、第１端末装置を介して複数のメーカーの中から希望のメーカーの景品データのみを迅速に検索することができる。この発注システムは、希望の製造メーカーを選択することが可能であり、メーカーを選択しつつそのメーカーが製造する景品データの中から発注する景品を選ぶことができ、メーカーを手がかりとして発注する景品を各アミューズメント施設において速やかに選び出すことができる。
【００２５】
サーバ装置が景品データを各イメージキャラクター毎に区分して記憶しつつ、選択されたキャラクターに対応する景品データを第１端末装置に送信する発注システムは、景品のイメージキャラクター情報が電子データとしてサーバ装置に一元的に管理され、第１端末装置によってキャラクターを検索することができ、第１端末装置を介して各種複数のキャラクターの中から希望のキャラクターの景品データのみを迅速に検索することができる。この発注システムは、希望のイメージキャラクターを選択することが可能であり、イメージキャラクターを選択しつつそのキャラクターに関係する景品データの中から発注する景品を選ぶことができ、キャラクターを手がかりとして発注する景品を各アミューズメント施設において速やかに選び出すことができる。
【００２６】
サーバ装置が景品データを景品の各サイズ毎に区分して記憶しつつ、選択されたサイズに対応する景品データを第１端末装置に送信する発注システムは、景品のサイズ情報が電子データとしてサーバ装置に一元的に管理され、第１端末装置によって景品のサイズを検索することができ、第１端末装置を介して複数のサイズの中から希望のサイズの景品データのみを迅速に検索することができる。この発注システムは、希望のサイズを選択することが可能であり、サイズを選択しつつそのサイズを有する景品の中から発注する景品を選ぶことができ、サイズを手がかりとして発注する景品を各アミューズメント施設において速やかに選び出すことができる。
【００２７】
サーバ装置が景品データを景品の各価格帯毎に区分して記憶しつつ、選択された価格帯に対応する景品データを第１端末装置に送信する発注システムは、景品の価格帯情報が電子データとしてサーバ装置に一元的に管理され、第１端末装置によって景品の価格帯を検索することができ、第１端末装置を介して複数の価格帯の中から希望の価格帯の景品データのみを迅速に検索することができる。この発注システムは、希望の価格帯を選択することが可能であり、価格帯を選択しつつその価格帯の景品の中から発注する景品を選ぶことができ、価格帯を手がかりとして発注する景品を各アミューズメント施設において速やかに選び出すことができる。
【００２８】
サーバ装置が景品データを景品の各商品コード毎に区分して記憶しつつ、選択された商品コードに対応する景品データを第１端末装置に送信する発注システムは、景品の商品コード情報が電子データとしてサーバ装置に一元的に管理され、第１端末装置によって商品コードを検索することができ、第１端末装置を介して複数の商品コードの中から希望の商品コードの景品データのみを迅速に検索することができる。この発注システムは、希望の商品コードを選択することが可能であり、商品コードを選択しつつその商品コードの景品の中から発注する景品を選ぶことができ、商品コードを手がかりとして発注する景品を各アミューズメント施設において速やかに選び出すことができる。
【００２９】
サーバ装置が景品データを景品の各景品名毎に区分して記憶しつつ、選択された景品名に対応する景品データを第１端末装置に送信する発注システムは、景品の景品名情報が電子データとしてサーバ装置に一元的に管理され、第１端末装置によって景品名を検索することができ、第１端末装置を介して複数の景品名の中から希望の景品名の景品データのみを迅速に検索することができる。この発注システムは、希望の景品名を選択することが可能であり、景品名を選択しつつその景品名の景品の中から発注する景品を選ぶことができ、景品名を手がかりとして発注する景品を各アミューズメント施設において速やかに選び出すことができる。
【００３０】
サーバ装置が現在に近い過去の指定期間内の景品データを第１端末装置に送信しつつ、指定期間内の景品データの中から仕入先に発注する景品データを第２端末装置に送信する発注システムは、現在に近い過去に発注した景品データを検索することができるから、アミューズメント施設における最近の売れ筋景品や人気景品が分かり、売れ筋景品や人気景品を具体的に把握することができる。発注システムは、最近の売れ筋景品や人気景品を検索しつつその景品を仕入れることで、アミューズメント施設における遊技機の売上向上を図ることができる。
【００３１】
サーバ装置が指定期間内であって指定された数の景品データを第１端末装置に送信する発注システムは、最近発注された景品の数によって売れ筋や人気度を計ることができ、一定数以上に発注された景品を売れ筋景品や人気景品として捉えることができる。この発注システムは、現在に近い過去に発注した景品データを検索することができるから、アミューズメント施設における最近の売れ筋景品や人気景品が分かり、売れ筋景品や人気景品を仕入れることで、アミューズメント施設における遊技機の売上向上を図ることができる。
【００３２】
サーバ装置が過去から現在までの景品データを景品の各景品種別毎に区分して記憶しつつ、指定期間内の景品データのうち、選択された景品種別に対応する景品データを第１端末装置に送信する発注システムは、第１端末装置を介して現在に近い過去に発注した景品データの中から希望の景品種別の景品データのみを迅速に検索することができ、アミューズメント施設において最近の売れ筋景品や人気景品を景品種別毎に具体的に把握することができる。この発注システムは、景品種別毎の売れ筋景品や人気景品を検索しつつそれらの景品を仕入れることで、アミューズメント施設における遊技機の売上向上を図ることができる。
【００３３】
サーバ装置が過去から現在までの景品データを景品の各製造メーカー毎に区分して記憶しつつ、過去の所定期間内の景品データのうち、選択されたメーカーに対応する景品データを第１端末装置に送信する発注システムは、第１端末装置を介して現在に近い過去に発注した景品データの中から希望のメーカーの景品データのみを迅速に検索することができ、アミューズメント施設において最近の売れ筋景品や人気景品をメーカー毎に把握することができる。この発注システムは、メーカー毎の売れ筋景品や人気景品を検索しつつそれらの景品を仕入れることで、アミューズメント施設における遊技機の売上向上を図ることができる。
【００３４】
サーバ装置が過去から現在までの景品データを景品の各イメージキャラクター毎に区分して記憶しつつ、過去の所定期間内の景品データのうち、選択されたキャラクターに対応する景品データを第１端末装置に送信する発注システムは、第１端末装置を介して現在に近い過去に発注した景品データの中から希望のキャラクターの景品データのみを迅速に検索することができ、アミューズメント施設において最近の売れ筋景品や人気景品をキャラクター毎に把握することができる。この発注システムは、イメージキャラクター毎の売れ筋景品や人気景品を検索しつつそれらの景品を仕入れることで、アミューズメント施設における遊技機の売上向上を図ることができる。
【００３５】
サーバ装置が過去から現在までの景品データを景品の各サイズ毎に区分して記憶しつつ、過去の所定期間内の景品データのうち、選択されたサイズに対応する景品データを第１端末装置に送信する発注システムは、第１端末装置を介して現在に近い過去に発注した景品データの中から希望のサイズの景品データのみを迅速に検索することができ、アミューズメント施設において最近の売れ筋景品や人気景品をサイズ毎に把握することができる。この発注システムは、サイズ毎の売れ筋景品や人気景品を検索しつつそれらの景品を仕入れることで、アミューズメント施設における遊技機の売上向上を図ることができる。
【００３６】
サーバ装置が過去から現在までの景品データを景品の各価格帯毎に区分して記憶しつつ、過去の所定期間内の景品データのうち、選択された価格帯に対応する景品データを第１端末装置に送信する発注システムは、第１端末装置を介して現在に近い過去に発注した景品データの中から希望の価格帯の景品データのみを迅速に検索することができ、アミューズメント施設において最近の売れ筋景品や人気景品を価格帯毎に把握することができる。この発注システムは、価格帯毎の売れ筋景品や人気景品を検索しつつそれらの景品を仕入れることで、アミューズメント施設における遊技機の売上向上を図ることができる。
【発明を実施するための最良の形態】
【００３７】
添付の図面を参照し、本発明に係る発注システムの詳細を説明すると、以下のとおりである。図１は、一例として示す発注システム１０の構成図である。この発注システム１０は、複数のアミューズメント施設１１，１２に設置された施設クライアント端末１３，１４（第１端末装置）と、アミューズメント施設１１，１２に各種景品を販売納入する複数の仕入先１５，１６に設置された仕入先クライアント端末１７，１８と、それら景品に関する情報をアミューズメント施設１１，１２（施設クライアント端末装置１３，１４）や仕入先１５，１６（仕入先クライアント端末装置１７，１８）に提供（送信）する発注管理サーバ１９（サーバ装置）とから形成されている。
【００３８】
アミューズメント施設１１，１２には、各種複数の遊技機（ゲーム機）が設置されている。遊技機には、ビデオゲーム機、カードゲーム機、メダルゲーム機、プライズゲーム機、パチンコゲーム機、パチスロゲーム機、メダル貸出機等がある。アミューズメント施設１１，１２には、遊技機が設置された店舗のみならず、それら店舗を地域ごとに管理する支店、各支店を管理する本店等が含まれる。景品は、アミューズメント施設１１，１２の利用者の遊戯に対して提供される。なお、図１では、アミューズメント施設１１，１２や仕入先１５，１６を２つ図示しているが、実際には３つ以上のアミューズメント施設および仕入先が存在する。また、アミューズメント施設１１，１２や仕入先１５，１６において１つのクライアント端末１３，１４，１７，１８を図示しているが、実際には２つ以上の端末がアミューズメント施設１１，１２や仕入先１５，１６に設置されている。
【００３９】
クライアント端末１３，１４は、アミューズメント施設１１，１２の店舗、支店、本店が保有管理している。クライアント端末１７，１８は、メーカーや卸売業者、小売業者等の景品の仕入先１５，１６が保有管理している。クライアント端末１３，１４，１７，１８は、中央処理部（ＣＰＵまたはＭＰＵ）とメモリとを備えたコンピュータであり、ＤＮＳサーバ機能、データベースサーバ機能、Ｗｅｂサーバ機能を有する。それら端末１３，１４，１７，１８には、大容量ハードディスクが内蔵され、キーボードやマウス等の入力装置、ディスプレイ２１，２２やプリンタ（図示せず）等の出力装置がインターフェイスを介して接続されている。それら端末１３，１４，１７，１８は、インターネット２０に接続可能であり、インターネット２０を利用することで、サーバ１９にアクセスかつログインすることができる。
【００４０】
発注管理サーバ１９は、このシステム１０を提供する事業者が保有管理している。サーバ１９は、中央処理部（ＣＰＵまたはＭＰＵ）とメモリとを備えたコンピュータであり、ＤＮＳ機能、データベース機能、Ｗｅｂ機能を有する。サーバ１９は、インターネット２０に接続可能であり、インターネット２０を利用することで、クライアント端末１３，１４，１７，１８のみならず、不特定多数のサーバにアクセスかつログインすることができる。サーバ１９には、図示はしていないが、大容量ハードディスクが内蔵され、キーボードやマウス等の入力装置、ディスプレイやプリンタ等の出力装置がインターフェイスを介して接続されている。
【００４１】
サーバ１９のメモリには、発注管理やデータ管理等の各種のアプリケーションが格納されている。サーバ１９のハードディスクには、景品関係データファイルが作られている。サーバ１９は、ＩＰアドレスとドメイン名との対応づけを行うとともに、記憶したカタログデータや景品データをＨＴＭＬに変換した後、それらデータをクライアント端末１３，１４，１７，１８に送信し、それらデータをそれらクライアント端末１３，１４，１７，１８において閲覧可能とする。このシステム１０では、クライアント端末１３，１４，１７，１８や発注管理サーバ１９がインターネット２０を介してネットワークを形成している。
【００４２】
サーバ１９の中央処理部は、オペレーティングシステムによる制御に基づいて、メモリに格納された各アプリケーションを起動し、起動したアプリケーションに従って、以下の各手段を実行する。サーバ１９の中央処理部は、カタログに掲載された景品およびカタログに非掲載の景品の景品データを記憶する景品データ第１記憶手段を実行し、クライアント端末１３，１４が景品データの閲覧を要求したときに、それら景品データをクライアント端末１３，１４に送信する景品データ第１送信手段を実行する。中央処理部は、送信したそれら景品データの中からクライアント端末１３，１４が仕入先１５，１６に発注する景品データを選択したときに、選択された発注予定の景品データに対応する景品の発注伝票を作成する発注伝票作成手段を実行し、選択された景品データ（作成した発注伝票）をクライアント端末１３，１４，１７，１８に送信する景品データ第２送信手段を実行する。
【００４３】
サーバ１９の中央処理部は、各種複数の景品を掲載した各種複数の景品カタログのカタログデータを記憶しつつ、それら景品カタログに掲載された各種複数の景品の景品データをカタログデータ別に区分して記憶するカタログデータ記憶手段を実行し、クライアント端末１３，１４がカタログデータの閲覧を要求したときに、それらカタログデータをクライアント端末１３，１４に送信するカタログデータ送信手段を実行する。中央処理部は、送信したカタログデータの中からクライアント端末１３，１４が少なくとも一つのそれを選択したときに、選択されたカタログデータに対応する景品データをクライアント端末１３，１４に送信する景品データ第５送信手段を実行する。中央処理部は、送信した景品データの中からクライアント端末１３，１４が仕入先１５，１６に発注する景品データを選択したときに、選択された発注予定の景品データに対応する景品の発注伝票を作成する発注伝票作成手段を実行し、選択された景品データ（作成した発注伝票）をクライアント端末１３，１４，１７，１８に送信する景品データ第６送信手段を実行する。
【００４４】
サーバ１９の中央処理部は、過去から現在までにクライアント端末１７，１８に送信した景品データを記憶する景品データ第２記憶手段を実行し、クライアント端末１７，１８に送信した景品データの中からクライアント端末１３，１４が現在に近い過去の指定期間内の景品データの閲覧を要求したときに、その指定期間内の景品データをクライアント端末１３，１４に送信する景品データ第３送信手段を実行する。中央処理部は、送信した指定期間内の景品データの中からクライアント端末１３，１４が仕入先１５，１６に発注する景品データを選択したときに、選択された発注予定の景品データに対応する景品の発注伝票を作成する発注伝票作成手段を実行し、選択された景品データ（作成した発注伝票）をクライアント端末１３，１４，１７，１８に送信する景品データ第４送信手段を実行する。
【００４５】
図２〜図５は、カタログ検索の一例を説明する図である。図２〜図５は、クライアント端末１３，１４のディスプレイ２１に表示された表示画面の一例を示す。それら図に基づいて、カタログ検索の一例を説明すると、以下のとおりである。なお、発注管理サーバ１９のハードディスクには、以下の各データが格納されている。サーバ１９に格納されるデータには、カタログデータ、景品データ、ページデータ、景品種別データ、景品の製造メーカーデータ、景品のイメージキャラクターデータ、景品のサイズデータ、景品の価格帯データ、景品のコードデータ、景品の景品名データがある。
【００４６】
発注管理サーバ１９には、各種複数のカタログの情報がカタログデータとして入力され、それらカタログのページを識別するためのページデータ（ページ識別番号）が入力される。発注管理サーバ１９には、カタログに掲載された景品の情報が景品データとして入力され、カタログに非掲載の景品の情報が景品データとして入力される。カタログデータには、仕入先識別番号、仕入先支店識別番号、各種カタログを識別するためのカタログ識別番号、カタログ名、カタログの発行年月日がある。カタログデータには、カタログのページを示すページデータが関連付けられているとともに、カタログに掲載された景品の景品データ（景品識別番号）が関連付けられている。
【００４７】
景品データには、仕入先識別番号、仕入先支店識別番号、各種景品を識別するための景品識別番号、景品単価がある。景品データには、景品の景品種別を識別するための景品種別データ（景品種別識別番号）や景品の製造メーカーを識別するためのメーカーデータ（メーカー識別番号）が設定され、景品のイメージキャラクターを識別するためのキャラクターデータ（キャラクター識別番号）や景品のサイズを識別するためのサイズデータ（サイズ識別番号）が設定されている。また、景品の価格帯を識別するための価格帯データ（価格帯識別番号）や景品のコードを識別するためのコードデータ（コード識別番号）が設定され、景品の景品名を識別するための景品名データ（景品名識別番号）が設定されている。カタログに掲載された景品の景品データには、そのカタログを識別するためのカタログ識別番号とページを識別するためのページ識別番号とが設定されている。
【００４８】
サーバ２１は、仕入先識別番号や仕入先支店識別番号を参照しつつ、カタログデータを仕入先別かつ仕入先支店別に区分した状態でハードディスクの景品関係データファイルに格納する（カタログデータ記憶手段）。サーバ２１は、カタログデータとそのカタログデータに対応するカタログのページデータとを参照しつつ、景品データを各カタログ別かつ各ページ別に区分し得るように、カタログ識別番号とページ識別番号とを景品データに設定する。サーバ２１は、仕入先識別番号や仕入先支店識別番号を参照しつつ、カタログデータに掲載された景品の景品データを仕入先別かつ仕入先支店別に区分した状態でハードディスクの景品関係データファイルに格納する（カタログデータ記憶手段）。
【００４９】
サーバ２１は、景品種別データやメーカーデータ、キャラクターデータ、サイズデータ、価格帯データ、コードデータ、景品名データを景品データに設定した後、仕入先識別番号や仕入先支店識別番号を参照しつつ、それら景品データを仕入先別かつ仕入先支店別に区分した状態でハードディスクの景品関係データファイルに格納する（景品データ第１記憶手段）。サーバ２１は、過去から現在までにクライアント端末１７，１８に送信した景品データに景品種別データやメーカーデータ、キャラクターデータ、サイズデータ、価格帯データを設定した後、仕入先識別番号や仕入先支店識別番号を参照しつつ、それら景品データを仕入先別かつ仕入先支店別に区分した状態でハードディスクの景品関係データファイルに格納する（景品データ第２記憶手段）。
【００５０】
ページデータは、カタログデータを各ページ毎に区分する。ページデータを指定することで、カタログデータのページを特定しつつそのページに掲載された景品データを抽出することができる。景品種別データは、それら景品データを景品種別に区分する。景品種別データを指定することで、景品種別毎に分類された状態の景品データを抽出することができ、景品種別を特定しつつその景品種別に対応する景品データを特定することができる。メーカーデータは、それら景品データを景品の製造メーカー別に区分する。メーカーデータを指定することで、製造メーカー毎に分類された状態の景品データを抽出することができ、メーカーを特定しつつそのメーカーに対応する景品データを特定することができる。
【００５１】
キャラクターデータは、それら景品データをイメージキャラクター別に区分する。キャラクターデータを指定することで、キャラクター毎に分類された状態の景品データを抽出することができ、キャラクターを特定しつつそのキャラクターに対応する景品データを特定することができる。サイズデータは、それら景品データをサイズ別に区分する。サイズデータを指定することで、サイズ毎に分類された状態の景品データを抽出することができ、サイズを特定しつつそのサイズに対応する景品データを特定することができる。
【００５２】
価格帯データは、それら景品データを価格帯別に区分する。価格帯データを指定することで、価格帯毎に分類された状態の景品データを抽出することができ、価格帯を特定しつつその価格帯に対応する景品データを特定することができる。コードデータは、それら景品データをコード別に区分する。コードデータを指定することで、コード毎に分類された状態の景品データを抽出することができ、コードを特定しつつそのコードに対応する景品データを特定することができる。景品名データは、それら景品データを景品名別に区分する。景品名データを指定することで、景品名毎に分類された状態の景品データを抽出することができ、景品名を特定しつつその景品名に対応する景品データを特定することができる。
【００５３】
クライアント端末１３，１４，１７，１８を起動させた後、それら端末１３，１４，１７，１８をインターネット２０に接続し、インターネット２０を介してそれら端末装置１３，１４，１７，１８を発注管理サーバ１９にログインさせる。サーバ１９は、それら端末装置１３，１４，１７，１８のログイン時に所定の認証手続を要求する。認証では、それら端末装置１３，１４，１７，１８に発注管理アプリケーションを利用させる正当性があるかを判断する。認証方式は、パスワード認証であるが、パスワード認証の他に、指紋認証や声紋認証、網膜認証、ＩＣカード認証を行うこともできる。なお、パスワード認証としては、ワンタイムパスワードを採用することもできる。
【００５４】
クライアント端末１３，１４，１７，１８をインターネット２０に接続した後、発注管理サーバ１９のＵＲＬを利用してサーバ１９にアクセスする。サーバ１９は、クライアント端末１３，１４，１７，１８のディスプレイ２１，２２に認証画面（図示せず）を表示させる。認証画面には、ユーザ名の入力エリアとパスワードの入力エリアとが表示される。アミューズメント施設１１，１２や仕入先１５，１６は、それら入力エリアにユーザ名とパスワードとを入力した後、ログインボタンを押す。サーバ１９は、入力されたユーザ名およびパスワードをメモリに格納されたそれらと比較し、ユーザ名およびパスワードの正誤を判断する。ユーザ名およびパスワードが正しく認証結果が可である場合、サーバ１９は、クライアント端末１３，１４，１７，１８のサーバ１９へのログインを許可する。ユーザ名やパスワードが誤っていて認証結果が不可である場合、サーバ１９は、クライアント端末１３，１４，１７，１８のディスプレイ２１，２２にユーザ名やパスワードの誤りメッセージを表示するとともに、ログイン不可メッセージを表示する。
【００５５】
クライアント端末１３，１４がサーバ１９へログインすると、サーバ１９は、端末装置１３，１４のディスプレイ２１に初期画面（図示せず）を表示させる。初期画面には、受注ボタン、ログアウトボタンが表示される。初期画面から発注ボタンを押すと、図２に示すように、ディスプレイ２１に発注入力画面が表示される。発注入力画面には、ホームボタン、ログアウトボタン、発注先（仕入先１５，１６）プルダウンリスト、発注先支店プルダウンリスト、発注日表示エリア、納入予定日表示エリア、発注予定景品表示エリア（Ａ１）、カタログ検索ボタン（Ｂ１）、景品検索ボタン（Ｂ２）、最近発注ボタン（Ｂ３）、検索条件入力エリア（Ａ２）、検索一覧表示エリア（Ａ３）が表示される。
【００５６】
発注入力画面には、それらの他に、その端末１３，１４が設置されたアミューズメント施設１１，１２の店舗名、そのアミューズメント施設１１，１２の担当者名が表示される。発注景品発注商品表示エリア（Ａ１）には、コード表示エリア、品名表示エリア、数量表示エリア、単価表示エリア、金額表示エリア、納入予定日表示エリアが表示される。検索条件入力エリア（Ａ２）には、検索ボタン（Ｂ４）が表示される。検索一覧表示エリア（Ａ３）には、コード表示エリア、品名表示エリア、単価表示エリアが表示される。
【００５７】
発注先プルダウンリストから発注先を選択し（全発注先選択可）、発注先支店のプルダウンリストから発注先支店を選択する（全支店選択可）。それらを選択すると、サーバ１９は、選択された発注先の選択された支店における景品関係データファイルをハードディスクから取り出す。カタログを検索するには、カタログ検索ボタン（Ｂ１）を押す。カタログ検索ボタン（Ｂ１）を押すと、図３に示すように、検索条件入力エリア（Ａ２）に各種の条件選択ボタンが表示される。条件選択ボタンには、カタログ選択ボタン（Ｂ５）、ページ選択ボタン（Ｂ６）、景品種別選択ボタン（Ｂ７）、メーカー選択ボタン（Ｂ８）、キャラクター選択ボタン（Ｂ９）、サイズ選択ボタン（Ｂ１０）、価格帯選択ボタン（Ｂ１１）、コード選択ボタン（Ｂ１２）、景品名選択ボタン（Ｂ１３）がある。入力装置によってカタログ選択ボタン（Ｂ５）を押す。カタログ選択ボタン（Ｂ５）を押すと、図４に示すように、発注入力画面にカタログ選択プルダウンリスト（Ｌ１）が表示され、プルダウンリスト（Ｌ１）から希望のカタログを選択する（全カタログ選択可）。
【００５８】
カタログを選択した後、ページ選択ボタン（Ｂ６）を押す。ページ選択ボタン（Ｂ６）を押すと、図５に示すように、発注入力画面にページ入力エリア（Ａ４）が表示される。ページ入力エリア（Ａ４）に希望のページを入力する。具体的には、ページ数（１）を入力するとカタログの１ページを指定したことになり、ページ数（１）〜（５）を入力すると、カタログの１ページから５ページまでを指定したことになる。また、ページ入力エリア（Ａ４）をブランクにすると、カタログの全ページを指定したことになる。図５では、ページ入力エリア（Ａ４）に（１）が入力されたものとする。
【００５９】
ページ入力エリア（Ａ４）にページを入力した後、検索ボタン（Ｂ４）を押すと、サーバ１９は、選択された発注先の支店における選択されたカタログのカタログデータをハードディスクの景品関係データファイルから抽出しつつ、抽出したカタログデータの指定されたページにおける景品データを景品関係データファイルから抽出し、抽出したそれら景品データをクライアント端末１３，１４に送信する（カタログデータ送信手段、景品データ第５送信手段）。クライアント端末１３，１４のディスプレイ２１には、サーバ１９から送信された景品データが表示される。検索一覧表示エリア（Ａ３）の商品コード表示エリアには景品のコードが表示され、品名表示エリアには景品名が表示され、単価表示エリアには景品の単価が表示される（図５参照）。
【００６０】
図６，図７は、仕入先１５，１６への発注を説明する図である。図８は、クライアント端末１３，１４，１７，１８のディスプレイ２１，２２に表示された発注伝票の一例を示す図である。それら図に基づいて、仕入先１５，１６への発注の一例を説明すると、以下のとおりである。クライアント端末１３，１４では、検索一覧表示エリア（Ａ３）に表示された景品データのうち、発注予定の景品データを選択する。具体的には、検索一覧表示エリア（Ａ３）に表示された景品データのうち、発注予定の景品データ上にカーソルを移動させ、そのデータを反転させる。データを反転させると、そのデータが発注景品表示エリア（Ａ１）に表示される。発注景品表示エリア（Ａ１）では、図６に示すように、コード表示エリアに景品のコードが表示され、品名表示エリアに景品の品名が表示されている。さらに、単価表示エリアに単価が表示されている。
【００６１】
図６の発注入力画面において、納入予定日入力エリア（Ａ５）に納入予定日を入力するとともに、発注景品表示エリア（Ａ１）の数量表示エリア（Ａ６）に発注数量を入力すると、サーバ１９は、発注景品表示エリア（Ａ１）の納入予定日表示エリア（Ａ８）に納入予定日を表示し、数量に単価を掛け合わせて金額を計算し、金額を金額表示エリア（Ａ７）に表示する。図７では、数量表示エリア（Ａ６）に発注数量が表示され、金額表示エリア（Ａ７）に金額が表示され、納入予定日表示エリア（Ａ８）に納入予定日が表示されている。
【００６２】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第６送信手段）。サーバ１９から送信された発注伝票は、図８に示すように、クライアント端末１３，１４，１７，１８のディスプレイ２１，２２に表示される。図８の発注伝票は、プリンタから出力することができる。発注伝票には、発注先、発注店舗が表示され、支払関係表示エリアに支払金額や支払条件等が表示され、発注景品表示エリアにＮＯ、コード、品名、数量、単価、金額、納入予定日が表示される。仕入先１５，１６は、発注伝票を受信することで、景品の注文を受け付ける。
【００６３】
発注システム１０は、発注管理サーバ１９が各種複数の景品の景品データをカタログ別に区分して記憶し、各種複数のカタログ雑誌が電子データとしてサーバに一元的に管理され、インターネット２０を介してカタログデータがサーバ１９からクライアント端末１３，１４に送信されるから、端末１３，１４を介して各種複数のカタログデータの中から必要なそれを迅速に検索することができる。発注システム１０は、クライアント端末１３，１４において各種複数のカタログの中から希望のそれを選択することができ、各アミューズメント施設１１，１２において各所に散在するカタログ雑誌を見つけ出す必要はなく、カタログ雑誌を見つける手間と時間とを省くことができる。
【００６４】
発注システム１０は、カタログの他にそこに掲載された景品が電子データとしてサーバ１９に一元的に管理され、インターネット２０を介して景品データがサーバ１９からクライアント端末１３，１４に送信されるから、端末１３，１４を介して各種複数の景品データの中から必要なそれを迅速に検索することができる。発注システム１０は、端末装置１３，１４においてカタログを選択しつつ発注する景品をそのカタログから選ぶことができ、カタログを手でめくりながら景品を探し出す必要はなく、各アミューズメント施設１１，１２において発注する景品を速やかに選び出すことができる。また、クライアント端末１３，１４において選択された発注予定の景品データがサーバ１９からクライアント端末１７，１８に送信されるから、仕入先１５，１６において景品の手配や配送準備等の納品作業を速やかに行うことができる。
【００６５】
発注システム１０は、サーバ１９が景品データをカタログの各ページ毎に区分して記憶し、カタログ雑誌のページ情報が電子データとしてサーバ１９に一元的に管理され、インターネット２０を介してページデータがクライアント端末１３，１４に送信されるから、端末１３，１４を介してカタログの中から必要なページのみを迅速に検索することができる。発注システム１０は、選択したカタログ雑誌の希望のページを指定することが可能であり、カタログのページを指定しつつそのページから発注する景品を選ぶことができ、ページを手がかりとして発注する景品を各アミューズメント施設１１，１２において速やかに選び出すことができる。
【００６６】
図９，図１０は、カタログ検索のうちの景品種別選択の一例を説明する図である。図９，図１０では、すでにカタログが選択され、ページとして１〜５ページが指定されている。景品種別の選択では、カタログ検索およびページ指定を行った後、景品種別を選択し、景品種別に対応する景品から発注する景品を選択する。なお、ページ指定を行うことなく、カタログ検索を行った後、景品種別を選択し、景品種別に対応する景品から発注する景品を選択することもできる。それら図に基づいて、景品種別選択の一例を説明すると、以下のとおりである。認証手続きやカタログ検索、ページ指定の手順は図２〜図５において説明したそれらと同一であるから、図２〜図５を援用し、それらの説明は省略する。景品種別選択では、景品種別以外の他の項目の選択は行わないものとする。
【００６７】
カタログを選択し、ページを指定した後、必要があれば、景品種別を選択する。景品種別ボタン（Ｂ７）を押すと、景品種別のプルダウンリスト（Ｌ２）が表示される。プルダウンリスト（Ｌ２）から希望の景品種別を選び（複数選択可）、景品種別を選択する。景品種別をブランクにすると、全景品種別を選択したことになる。景品種別を選択した後、検索ボタン（Ｂ４）を押すと、サーバ１９は、選択された発注先の支店における選択されたカタログのカタログデータをハードディスクの景品関係データファイルから抽出しつつ、抽出したカタログデータの指定されたページかつ選択された景品種別における景品データを景品関係データファイルから抽出し、抽出したそれら景品データをクライアント端末１３，１４に送信する（カタログデータ送信手段、景品データ第５送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図１０参照）。
【００６８】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【００６９】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第６送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【００７０】
発注システム１０は、サーバ１９が景品データを景品の景品種別に区分して記憶し、カタログ雑誌に掲載された景品の景品種別情報が電子データとしてサーバ１９に一元的に管理され、インターネット２０を介して景品種別データがサーバ１９からクライアント端末１３，１４に送信されるから、端末１３，１４を介してカタログの中から必要な景品種別のみを迅速に検索することができる。この発注システム１０は、選択したカタログの中から希望の景品種別を選択することが可能であり、カタログおよび景品種別を選択しつつその景品種別に属する景品の中から発注する景品を選ぶことができ、景品種別を手がかりとして発注する景品を各アミューズメント施設１１，１２において速やかに選び出すことができる。
【００７１】
図１１，図１２は、カタログ検索のうちのメーカー選択の一例を説明する図である。図１１，図１２では、すでにカタログが選択され、ページとして１〜５ページが指定されている。メーカーの選択では、カタログ検索およびページ指定を行った後、製造メーカーを選択し、メーカーに対応する景品から発注する景品を選択する。なお、ページ指定を行うことなく、カタログ検索を行った後、メーカーを選択し、メーカーに対応する景品から発注する景品を選択することもできる。それら図に基づいて、メーカー選択の一例を説明すると、以下のとおりである。認証手続きやカタログ検索、ページ指定の手順は図２〜図５において説明したそれらと同一であるから、図２〜図５を援用し、それらの説明は省略する。メーカー選択では、メーカー以外の他の項目の選択は行わないものとする。
【００７２】
カタログを選択し、ページを指定した後、必要があれば、景品の製造メーカーを選択する。メーカーボタン（Ｂ８）を押すと、メーカー入力エリアおよびメーカーのプルダウンリスト（Ｌ３）が表示される。メーカー入力エリアにメーカーを入力し（複数入力可）またはプルダウンリスト（Ｌ３）から希望のメーカーを選び（複数選択可）、メーカーを選択する。メーカーをブランクにすると、全メーカーを選択したことになる。メーカーを選択した後、検索ボタン（Ｂ４）を押すと、サーバ１９は、選択された発注先の支店における選択されたカタログのカタログデータをハードディスクの景品関係データファイルから抽出しつつ、抽出したカタログデータの指定されたページかつ選択されたメーカーにおける景品データを景品関係データファイルから抽出し、抽出したそれら景品データをクライアント端末１３，１４に送信する（カタログデータ送信手段、景品データ第５送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図１２参照）。
【００７３】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【００７４】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第６送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【００７５】
発注システム１０は、サーバ１９が景品データを景品のメーカー別に区分して記憶し、カタログ雑誌に掲載された景品のメーカー情報が電子データとしてサーバ１９に一元的に管理され、インターネット２０を介してメーカーデータがサーバ１９からクライアント端末１３，１４に送信されるから、端末１３，１４を介してカタログの中から所定のメーカーのみを迅速に検索することができる。この発注システム１０は、選択したカタログの中から希望の製造メーカーを選択することが可能であり、メーカーを選択しつつそのメーカーが製造する景品の中から発注する景品を選ぶことができ、カタログおよびメーカーを手がかりとして発注する景品を各アミューズメント施設１１，１２において速やかに選び出すことができる。
【００７６】
図１３，図１４は、カタログ検索のうちのイメージキャラクター選択の一例を説明する図である。図１３，図１４では、すでにカタログが選択され、ページとして１〜５ページが指定されている。キャラクターの選択では、カタログ検索およびページ指定を行った後、キャラクターを選択し、キャラクターに対応する景品から発注する景品を選択する。なお、ページ指定を行うことなく、カタログ検索を行った後、キャラクターを選択し、キャラクターに対応する景品から発注する景品を選択することもできる。それら図に基づいて、キャラクター選択の一例を説明すると、以下のとおりである。認証手続きやカタログ検索、ページ指定の手順は図２〜図５において説明したそれらと同一であるから、図２〜図５を援用し、それらの説明は省略する。キャラクター選択では、キャラクター以外の他の項目の選択は行わないものとする。
【００７７】
カタログを選択し、ページを指定した後、必要があれば、景品のキャラクターを選択する。キャラクターボタン（Ｂ９）を押すと、キャラクター入力エリアおよびキャラクターのプルダウンリスト（Ｌ４）が表示される。キャラクター入力エリアにキャラクターを入力し（複数入力可）またはプルダウンリスト（Ｌ４）から希望のキャラクターを選び（複数選択可）、キャラクターを選択する。キャラクターをブランクにすると、全キャラクターを選択したことになる。キャラクターを選択した後、検索ボタン（Ｂ４）を押すと、サーバ１９は、選択された発注先の支店における選択されたカタログのカタログデータをハードディスクの景品関係データファイルから抽出しつつ、抽出したカタログデータの指定されたページかつ選択されたキャラクターにおける景品データを景品関係データファイルから抽出し、抽出したそれら景品データをクライアント端末１３，１４に送信する（カタログデータ送信手段、景品データ第５送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図１４参照）。
【００７８】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【００７９】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第６送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【００８０】
発注システム１０は、サーバ１９が景品データを景品のキャラクター別に区分して記憶し、カタログ雑誌に掲載された景品のキャラクター情報が電子データとしてサーバ１９に一元的に管理され、インターネット２０を介してキャラクターデータがサーバ１９からクライアント端末１３，１４に送信されるから、端末１３，１４を介してカタログの中から所定のキャラクターのみを迅速に検索することができる。この発注システム１０は、選択したカタログの中から希望のキャラクターを選択することが可能であり、キャラクターを選択しつつそのキャラクターの景品の中から発注する景品を選ぶことができ、カタログおよびキャラクターを手がかりとして発注する景品を各アミューズメント施設１１，１２において速やかに選び出すことができる。
【００８１】
図１５，図１６は、カタログ検索のうちのサイズ選択の一例を説明する図である。図１５，図１６では、すでにカタログが選択され、ページとして１〜５ページが指定されている。サイズの選択では、カタログ検索およびページ指定を行った後、サイズを選択し、サイズに対応する景品から発注する景品を選択する。なお、ページ指定を行うことなく、カタログ検索を行った後、サイズを選択し、サイズに対応する景品から発注する景品を選択することもできる。それら図に基づいて、サイズ選択の一例を説明すると、以下のとおりである。認証手続きやカタログ検索、ページ指定の手順は図２〜図５において説明したそれらと同一であるから、図２〜図５を援用し、それらの説明は省略する。サイズ選択では、サイズ以外の他の項目の選択は行わないものとする。
【００８２】
カタログを選択し、ページを指定した後、必要があれば、景品のサイズ（特大、大、中、小）を選択する。サイズボタン（Ｂ１０）を押すと、サイズのプルダウンリスト（Ｌ５）が表示される。プルダウンリスト（Ｌ５）から希望のサイズを選び（複数選択可）、サイズを選択する。サイズをブランクにすると、全サイズを選択したことになる。サイズを選択した後、検索ボタン（Ｂ４）を押すと、サーバ１９は、選択された発注先の支店における選択されたカタログのカタログデータをハードディスクの景品関係データファイルから抽出しつつ、抽出したカタログデータの指定されたページかつ選択されたサイズにおける景品データを景品関係データファイルから抽出し、抽出したそれら景品データをクライアント端末１３，１４に送信する（カタログデータ送信手段、景品データ第５送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図１６参照）。
【００８３】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【００８４】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第６送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【００８５】
発注システム１０は、サーバ１９が景品データを景品のサイズ別に区分して記憶し、カタログ雑誌に掲載された景品のサイズ情報が電子データとしてサーバ１９に一元的に管理され、インターネット２０を介してサイズデータがサーバ１９からクライアント端末１３，１４に送信されるから、端末１３，１４を介してカタログの中から所定のサイズのみを迅速に検索することができる。この発注システム１０は、選択したカタログの中から希望のサイズを選択することが可能であり、サイズを選択しつつそのサイズの景品の中から発注する景品を選ぶことができ、カタログおよびサイズを手がかりとして発注する景品を各アミューズメント施設１１，１２において速やかに選び出すことができる。
【００８６】
図１７，図１８は、カタログ検索のうちの価格帯選択の一例を説明する図である。図１７，図１８では、すでにカタログが選択され、ページとして１〜５ページが指定されている。価格帯の選択では、カタログ検索およびページ指定を行った後、価格帯を選択し、価格帯に対応する景品から発注する景品を選択する。なお、ページ指定を行うことなく、カタログ検索を行った後、価格帯を選択し、価格帯に対応する景品から発注する景品を選択することもできる。それら図に基づいて、価格帯選択の一例を説明すると、以下のとおりである。認証手続きやカタログ検索、ページ指定の手順は図２〜図５において説明したそれらと同一であるから、図２〜図５を援用し、それらの説明は省略する。価格帯選択では、価格帯以外の他の項目の選択は行わないものとする。
【００８７】
カタログを選択し、ページを指定した後、必要があれば、景品の価格帯を選択する。価格帯ボタン（Ｂ１１）を押すと、価格帯入力エリアおよび価格帯のプルダウンリスト（Ｌ６）が表示される。価格帯入力エリアに価格を入力し（複数入力可）またはプルダウンリスト（Ｌ６）から希望の価格帯を選び（複数選択可）、価格帯を選択する。価格帯をブランクにすると、全価格帯を選択したことになる。価格帯を選択した後、検索ボタン（Ｂ４）を押すと、サーバ１９は、選択された発注先の支店における選択されたカタログのカタログデータをハードディスクの景品関係データファイルから抽出しつつ、抽出したカタログデータの指定されたページかつ選択された価格帯における景品データを景品関係データファイルから抽出し、抽出したそれら景品データをクライアント端末１３，１４に送信する（カタログデータ送信手段、景品データ第５送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図１８参照）。
【００８８】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【００８９】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第６送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【００９０】
発注システム１０は、サーバ１９が景品データを景品の価格帯別に区分して記憶し、カタログ雑誌に掲載された景品の価格帯情報が電子データとしてサーバ１９に一元的に管理され、インターネット２０を介して価格帯データがサーバ１９からクライアント端末１３，１４に送信されるから、端末１３，１４を介してカタログの中から所定の価格帯のみを迅速に検索することができる。この発注システム１０は、選択したカタログの中から希望の価格帯を選択することが可能であり、価格帯を選択しつつその価格帯の景品の中から発注する景品を選ぶことができ、カタログおよび価格帯を手がかりとして発注する景品を各アミューズメント施設１１，１２において速やかに選び出すことができる。
【００９１】
図１９，図２０は、カタログ検索のうちのコード選択の一例を説明する図である。図１９，図２０では、すでにカタログが選択され、ページとして１〜５ページが指定されている。コードの選択では、カタログ検索およびページ指定を行った後、コードを選択し、コードに対応する景品から発注する景品を選択する。なお、ページ指定を行うことなく、カタログ検索を行った後、コードを選択し、コードに対応する景品から発注する景品を選択することもできる。それら図に基づいて、コード選択の一例を説明すると、以下のとおりである。認証手続きやカタログ検索、ページ指定の手順は図２〜図５において説明したそれらと同一であるから、図２〜図５を援用し、それらの説明は省略する。コード選択では、コード以外の他の項目の選択は行わないものとする。
【００９２】
カタログを選択し、ページを指定した後、必要があれば、景品の価格帯を選択する。コードボタン（Ｂ１２）を押すと、コード入力エリアおよびコードのプルダウンリスト（Ｌ７）が表示される。コード入力エリアにコードを入力し（複数入力可）またはプルダウンリスト（Ｌ７）から希望のコードを選び（複数選択可）、コードを選択する。コードをブランクにすると、全コードを選択したことになる。コードを選択した後、検索ボタン（Ｂ４）を押すと、サーバ１９は、選択された発注先の支店における選択されたカタログのカタログデータをハードディスクの景品関係データファイルから抽出しつつ、抽出したカタログデータの指定されたページかつ選択されたコードにおける景品データを景品関係データファイルから抽出し、抽出したそれら景品データをクライアント端末１３，１４に送信する（カタログデータ送信手段、景品データ第５送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図１８参照）。
【００９３】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【００９４】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第６送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【００９５】
発注システム１０は、サーバ１９が景品データを景品のコード別に区分して記憶し、カタログ雑誌に掲載された景品のコード情報が電子データとしてサーバ１９に一元的に管理され、インターネット２０を介してコードデータがサーバ１９からクライアント端末１３，１４に送信されるから、端末１３，１４を介してカタログの中から所定のコードのみを迅速に検索することができる。この発注システム１０は、選択したカタログの中から希望のコードを選択することが可能であり、コードを選択しつつそのコードの景品の中から発注する景品を選ぶことができ、カタログおよびコードを手がかりとして発注する景品を各アミューズメント施設１１，１２において速やかに選び出すことができる。
【００９６】
図２１，図２２は、カタログ検索のうちの景品名選択の一例を説明する図である。図２１，図２２では、すでにカタログが選択され、ページとして１〜５ページが指定されている。景品名の選択では、カタログ検索およびページ指定を行った後、景品名を選択し、景品名に対応する景品から発注する景品を選択する。なお、ページ指定を行うことなく、カタログ検索を行った後、景品名を選択し、景品名に対応する景品から発注する景品を選択することもできる。それら図に基づいて、景品名選択の一例を説明すると、以下のとおりである。認証手続きやカタログ検索、ページ指定の手順は図２〜図５において説明したそれらと同一であるから、図２〜図５を援用し、それらの説明は省略する。景品名選択では、景品名以外の他の項目の選択は行わないものとする。
【００９７】
カタログを選択し、ページを指定した後、必要があれば、景品の景品名を選択する。景品名ボタン（Ｂ１３）を押すと、景品名入力エリアおよび景品名のプルダウンリスト（Ｌ８）が表示される。景品名入力エリアに景品名を入力し（複数入力可）またはプルダウンリスト（Ｌ８）から希望の景品名を選び（複数選択可）、景品名を選択する。景品名をブランクにすると、全景品名を選択したことになる。景品名を選択した後、検索ボタン（Ｂ４）を押すと、サーバ１９は、選択された発注先の支店における選択されたカタログのカタログデータをハードディスクの景品関係データファイルから抽出しつつ、抽出したカタログデータの指定されたページかつ選択された景品名における景品データを景品関係データファイルから抽出し、抽出したそれら景品データをクライアント端末１３，１４に送信する（カタログデータ送信手段、景品データ第５送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図２０参照）。
【００９８】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【００９９】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第６送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【０１００】
発注システム１０は、サーバ１９が景品データを景品の景品名別に区分して記憶し、カタログ雑誌に掲載された景品の景品名情報が電子データとしてサーバ１９に一元的に管理され、インターネット２０を介して景品名データがサーバ１９からクライアント端末１３，１４に送信されるから、端末１３，１４を介してカタログの中から所定の景品名のみを迅速に検索することができる。この発注システム１０は、選択したカタログの中から希望の景品名を選択することが可能であり、景品名を選択しつつその景品名の景品の中から発注する景品を選ぶことができ、カタログおよび景品名を手がかりとして発注する景品を各アミューズメント施設１１，１２において速やかに選び出すことができる。
【０１０１】
図２〜図２２に示すカタログ検索では、検索条件入力エリア（Ａ２）に表示される各種条件のうち、カタログ選択は必須であるが、他の条件は任意に選択することができる。また、任意の条件は複数選択が可能である。たとえば、ページ、景品種別、メーカー、キャラクター、サイズ、価格帯、コード、景品名の少なくとも一つを選択することができる。それらの２つ以上を選択すると、それら条件をすべて満たした景品データが表示される。
【０１０２】
図２３，図２４は、景品検索のうちの景品種別選択の一例を説明する図である。それら図に基づいて、景品種別選択の一例を説明すると、以下のとおりである。なお、認証手続きは、図２において説明したそれと同一である。景品種別選択では、景品種別以外の他の項目の選択は行わないものとする。発注入力画面において、発注先プルダウンリストから発注先を選択し（全発注先選択可）、発注先支店のプルダウンリストから発注先支店を選択する（全支店選択可）。それらを選択すると、サーバ２１は、選択された発注先の選択された支店における景品関係データファイルをハードディスクから取り出す。景品を検索するには、景品検索ボタン（Ｂ２）を押す。景品検索ボタン（Ｂ２）を押すと、図２３に示すように、検索条件入力エリア（Ａ２）に各種の条件選択ボタンが表示される。条件選択ボタンには、景品種別選択ボタン（Ｂ１７）、メーカー選択ボタン（Ｂ１８）、キャラクター選択ボタン（Ｂ１９）、サイズ選択ボタン（Ｂ２０）、価格帯選択ボタン（Ｂ２１）、コード選択ボタン（Ｂ２２）、景品名選択ボタン（Ｂ２３）がある。
【０１０３】
景品種別から景品を選ぶ場合は、各種複数の景品種別から希望のそれを選択する。景品種別ボタン（Ｂ１７）を押すと、景品種別のプルダウンリスト（Ｌ９）が表示される。プルダウンリスト（Ｌ９）から希望の景品種別を選び（複数選択可）、景品種別を選択する。景品種別をブランクにすると、全景品種別を選択したことになる。景品種別を選択した後、検索ボタン（Ｂ４）を押すと、サーバ１９は、選択された発注先の支店の選択された景品種別における景品データを景品関係データファイルから抽出し、抽出したそれら景品データをクライアント端末１３，１４に送信する（景品データ第１送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図２４参照）。
【０１０４】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【０１０５】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第２送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【０１０６】
発注システム１０は、サーバ１９が景品データを景品の景品種別に区分して記憶し、景品の景品種別情報が電子データとしてサーバ１９に一元的に管理され、インターネット２０を介して景品種別データがサーバ１９からクライアント端末１３，１４に送信されるから、端末１３，１４を介して必要な景品種別の景品のみを迅速に検索することができる。この発注システム１０は、希望の景品種別を選択することが可能であり、景品種別を選択しつつその景品種別に属する景品の中から発注する景品を選ぶことができ、景品種別を手がかりとして発注する景品を各アミューズメント施設１１，１２において速やかに選び出すことができる。
【０１０７】
図２５，図２６は、景品検索のうちのメーカー選択の一例を説明する図である。それら図に基づいて、メーカー選択の一例を説明すると、以下のとおりである。なお、認証手続きは、図２において説明したそれと同一である。また、メーカー選択前までの景品検索の手順は図２３において説明したそれと同一である。メーカー選択では、メーカー以外の他の項目の選択は行わないものとする。
【０１０８】
メーカーから景品を選ぶ場合は、各種複数のメーカーから希望のそれを選択する。メーカーボタン（Ｂ１８）を押すと、メーカーのプルダウンリスト（Ｌ１０）が表示される。プルダウンリスト（Ｌ１０）から希望のメーカーを選び（複数選択可）、メーカーを選択する。メーカーをブランクにすると、全メーカーを選択したことになる。メーカーを選択した後、検索ボタン（Ｂ４）を押すと、サーバ１９は、選択された発注先の支店の選択されたメーカーにおける景品データを景品関係データファイルから抽出し、抽出したそれら景品データをクライアント端末１３，１４に送信する（景品データ第１送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図２６参照）。
【０１０９】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【０１１０】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第２送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【０１１１】
発注システム１０は、サーバ１９が景品データを景品のメーカー別に区分して記憶し、景品のメーカー情報が電子データとしてサーバ１９に一元的に管理され、インターネット２０を介してメーカーデータがサーバ１９からクライアント端末１３，１４に送信されるから、端末１３，１４を介して必要なメーカーの景品のみを迅速に検索することができる。この発注システム１０は、希望のメーカーを選択することが可能であり、メーカーを選択しつつそのメーカーに属する景品の中から発注する景品を選ぶことができ、メーカーを手がかりとして発注する景品を各アミューズメント施設１１，１２において速やかに選び出すことができる。
【０１１２】
図２７，図２８は、景品検索のうちのイメージキャラクター選択の一例を説明する図である。それら図に基づいて、キャラクター選択の一例を説明すると、以下のとおりである。なお、認証手続きは、図２において説明したそれと同一である。また、キャラクター選択前までの景品検索の手順は図２３において説明したそれと同一である。キャラクター選択では、キャラクター以外の他の項目の選択は行わないものとする。
【０１１３】
キャラクターから景品を選ぶ場合は、各種複数のキャラクターから希望のそれを選択する。キャラクターボタン（Ｂ１９）を押すと、キャラクター入力エリアおよびキャラクターのプルダウンリスト（Ｌ１１）が表示される。キャラクター入力エリアにキャラクターを入力し（複数入力可）またはプルダウンリスト（Ｌ１１）から希望のキャラクターを選び（複数選択可）、キャラクターを選択する。キャラクターをブランクにすると、全キャラクターを選択したことになる。キャラクターを選択した後、検索ボタン（Ｂ４）を押すと、サーバ１９は、選択された発注先の支店の選択されたキャラクターにおける景品データを景品関係データファイルから抽出し、抽出したそれら景品データをクライアント端末１３，１４に送信する（景品データ第１送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図２８参照）。
【０１１４】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【０１１５】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第２送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【０１１６】
発注システム１０は、サーバ１９が景品データを景品のキャラクター別に区分して記憶し、景品のキャラクター情報が電子データとしてサーバ１９に一元的に管理され、インターネット２０を介してキャラクターデータがサーバ１９からクライアント端末１３，１４に送信されるから、端末１３，１４を介して必要なキャラクターの景品のみを迅速に検索することができる。この発注システム１０は、希望のキャラクターを選択することが可能であり、キャラクターを選択しつつそのキャラクターに属する景品の中から発注する景品を選ぶことができ、キャラクターを手がかりとして発注する景品を各アミューズメント施設１１，１２において速やかに選び出すことができる。
【０１１７】
図２９，図３０は、景品検索のうちのサイズ選択の一例を説明する図である。それら図に基づいて、サイズ選択の一例を説明すると、以下のとおりである。なお、認証手続きは、図２において説明したそれと同一である。また、サイズ選択前までの景品検索の手順は図２３において説明したそれと同一である。サイズ選択では、サイズ以外の他の項目の選択は行わないものとする。
【０１１８】
サイズから景品を選ぶ場合は、各種複数のサイズから希望のそれを選択する。サイズボタン（Ｂ２０）を押すと、サイズのプルダウンリスト（Ｌ１２）が表示される。プルダウンリスト（Ｌ１２）から希望のサイズを選び（複数選択可）、サイズを選択する。サイズをブランクにすると、全サイズを選択したことになる。サイズを選択した後、検索ボタン（Ｂ４）を押すと、サーバ１９は、選択された発注先の支店の選択されたサイズにおける景品データを景品関係データファイルから抽出し、抽出したそれら景品データをクライアント端末１３，１４に送信する（景品データ第１送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図２８参照）。
【０１１９】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【０１２０】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第２送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【０１２１】
発注システム１０は、サーバ１９が景品データを景品のサイズ別に区分して記憶し、景品のサイズ情報が電子データとしてサーバ１９に一元的に管理され、インターネット２０を介してサイズデータがサーバ１９からクライアント端末１３，１４に送信されるから、端末１３，１４を介して必要なサイズの景品のみを迅速に検索することができる。この発注システム１０は、希望のサイズを選択することが可能であり、サイズを選択しつつそのサイズに属する景品の中から発注する景品を選ぶことができ、サイズを手がかりとして発注する景品を各アミューズメント施設１１，１２において速やかに選び出すことができる。
【０１２２】
図３１，図３２は、景品検索のうちの価格帯選択の一例を説明する図である。それら図に基づいて、価格帯選択の一例を説明すると、以下のとおりである。なお、認証手続きは、図２において説明したそれと同一である。また、価格帯選択前までの景品検索の手順は図２３において説明したそれと同一である。価格帯選択では、価格帯以外の他の項目の選択は行わないものとする。
【０１２３】
価格帯から景品を選ぶ場合は、各種複数の価格帯から希望のそれを選択する。価格帯ボタン（Ｂ２１）を押すと、価格帯のプルダウンリスト（Ｌ１３）が表示される。プルダウンリスト（Ｌ１３）から希望の価格帯を選び（複数選択可）、価格帯を選択する。価格帯をブランクにすると、全価格帯を選択したことになる。価格帯を選択した後、検索ボタン（Ｂ４）を押すと、サーバ１９は、選択された発注先の支店の選択された価格帯における景品データを景品関係データファイルから抽出し、抽出したそれら景品データをクライアント端末１３，１４に送信する（景品データ第１送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図２８参照）。
【０１２４】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【０１２５】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第２送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【０１２６】
発注システム１０は、サーバ１９が景品データを景品の価格帯別に区分して記憶し、景品の価格帯情報が電子データとしてサーバ１９に一元的に管理され、インターネット２０を介して価格帯データがサーバ１９からクライアント端末１３，１４に送信されるから、端末１３，１４を介して必要な価格帯の景品のみを迅速に検索することができる。この発注システム１０は、希望の価格帯を選択することが可能であり、価格帯を選択しつつその価格帯に属する景品の中から発注する景品を選ぶことができ、価格帯を手がかりとして発注する景品を各アミューズメント施設１１，１２において速やかに選び出すことができる。
【０１２７】
図３３，図３４は、景品検索のうちのコード選択の一例を説明する図である。それら図に基づいて、コード選択の一例を説明すると、以下のとおりである。なお、認証手続きは、図２において説明したそれと同一である。また、コード選択前までの景品検索の手順は図２３において説明したそれと同一である。コード選択では、コード以外の他の項目の選択は行わないものとする。
【０１２８】
コードから景品を選ぶ場合は、各種複数のコードから希望のそれを選択する。コードボタン（Ｂ２２）を押すと、コードのプルダウンリスト（Ｌ１４）が表示される。プルダウンリスト（Ｌ１４）から希望のコードを選び（複数選択可）、コードを選択する。コードをブランクにすると、全コードを選択したことになる。コードを選択した後、検索ボタン（Ｂ４）を押すと、サーバ１９は、選択された発注先の支店の選択されたコードにおける景品データを景品関係データファイルから抽出し、抽出したそれら景品データをクライアント端末１３，１４に送信する（景品データ第１送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図２８参照）。
【０１２９】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【０１３０】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第２送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【０１３１】
発注システム１０は、サーバ１９が景品データを景品のコード別に区分して記憶し、景品のコード情報が電子データとしてサーバ１９に一元的に管理され、インターネット２０を介してコードデータがサーバ１９からクライアント端末１３，１４に送信されるから、端末１３，１４を介して必要なコードの景品のみを迅速に検索することができる。この発注システム１０は、希望のコードを選択することが可能であり、コードを選択しつつそのコードに属する景品の中から発注する景品を選ぶことができ、コードを手がかりとして発注する景品を各アミューズメント施設１１，１２において速やかに選び出すことができる。
【０１３２】
図３５，図３６は、景品検索のうちの景品名選択の一例を説明する図である。それら図に基づいて、景品名選択の一例を説明すると、以下のとおりである。なお、認証手続きは、図２において説明したそれと同一である。また、景品名選択前までの景品検索の手順は図２３において説明したそれと同一である。景品名選択では、景品名以外の他の項目の選択は行わないものとする。
【０１３３】
景品名から景品を選ぶ場合は、各種複数の景品名から希望のそれを選択する。景品名ボタン（Ｂ２３）を押すと、景品名のプルダウンリスト（Ｌ１５）が表示される。プルダウンリスト（Ｌ１５）から希望の景品名を選び（複数選択可）、景品名を選択する。景品名をブランクにすると、全景品名を選択したことになる。景品名を選択した後、検索ボタン（Ｂ４）を押すと、サーバ１９は、選択された発注先の支店の選択された景品名における景品データを景品関係データファイルから抽出し、抽出したそれら景品データをクライアント端末１３，１４に送信する（景品データ第１送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図２８参照）。
【０１３４】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【０１３５】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第２送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【０１３６】
発注システム１０は、サーバ１９が景品データを景品の景品名別に区分して記憶し、景品の景品名情報が電子データとしてサーバ１９に一元的に管理され、インターネット２０を介して景品名データがサーバ１９からクライアント端末１３，１４に送信されるから、端末１３，１４を介して必要な景品名の景品のみを迅速に検索することができる。この発注システム１０は、希望の景品名を選択することが可能であり、景品名を選択しつつその景品名に属する景品の中から発注する景品を選ぶことができ、景品名を手がかりとして発注する景品を各アミューズメント施設１１，１２において速やかに選び出すことができる。
【０１３７】
図２５〜図３８に示す景品検索では、検索条件入力エリア（Ａ２）に表示される各種条件を任意に選択することができる。また、任意の条件は複数選択が可能である。たとえば、景品種別、メーカー、キャラクター、サイズ、価格帯、コード、景品名の少なくとも一つを選択することができる。それらの２つ以上を選択すると、それら条件をすべて満たした景品データが表示される。
【０１３８】
図３７，図３８は、最近発注検索の一例を説明する図である。それら図に基づいて、最近発注検索の一例を説明すると、以下のとおりである。なお、認証手続きは、図２において説明したそれと同一である。発注入力画面において、発注先プルダウンリストから発注先を選択し（全発注先選択可）、発注先支店のプルダウンリストから発注先支店を選択する（全支店選択可）。それらを選択すると、サーバ２１は、選択された発注先の選択された支店における景品関係データファイルをハードディスクから取り出す。最近発注を検索するには、最近発注ボタン（Ｂ３）を押す。最近発注ボタン（Ｂ３）を押すと、図３７に示すように、検索期間入力エリア（Ｌ１６）と検索件数入力エリア（Ｌ１７）とが表示され、各種の条件選択ボタンが表示される。条件選択ボタンには、景品種別選択ボタン（Ｂ２４）、メーカー選択ボタン（Ｂ２５）、キャラクター選択ボタン（Ｂ２６）、サイズ選択ボタン（Ｂ２７）、価格帯選択ボタン（Ｂ２８）がある。検索期間入力エリア（Ｌ１６）に検索期間を入力しまたは検索件数入力エリア（Ｌ１７）に検索件数を入力する。
【０１３９】
それらを入力した後、検索ボタン（Ｂ４）を押すと、サーバ２１は、選択された発注先の支店における選択された検索期間または検索件数における景品データをデータファイルから抽出し、抽出したそれら景品データをクライアント端末１３，１４に送信する（景品データ第３送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図３８参照）。
【０１４０】
最近発注検索をした後、クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【０１４１】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第４送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【０１４２】
発注システム１０は、現在に近い過去の所定期間に発注した景品データを検索することができるから、アミューズメント施設１１，１２における最近の売れ筋景品や人気景品が分かり、売れ筋景品や人気景品を具体的に把握することができる。また、最近発注された景品の数によって売れ筋や人気度を計ることができ、一定数以上に発注された景品を売れ筋景品や人気景品として捉えることができる。この発注システムは、アミューズメント施設１１，１２における最近の売れ筋景品や人気景品が分かり、売れ筋景品や人気景品を仕入れることで、アミューズメント施設１１，１２における遊技機の売上向上を図ることができる。
【０１４３】
図３９，図４０は、最近発注検索のうちの景品種別選択の一例を説明する図である。それら図に基づいて、景品種別検索の一例を説明すると、以下のとおりである。なお、認証手続きは、図２において説明したそれと同一である。また、景品種別選択前までの最近発注検索の手順は図３７において説明したそれと同一である。景品種別選択では、景品種別以外の他の項目の選択は行わないものとする。
【０１４４】
景品種別から最近発注の景品を選ぶ場合は、各種複数の景品種別から希望のそれを選択する。景品種別ボタン（Ｂ２４）を押すと、景品種別のプルダウンリスト（Ｌ１８）が表示される。プルダウンリスト（Ｌ１８）から希望の景品種別を選び（複数選択可）、景品種別を選択する。景品種別をブランクにすると、全景品種別を選択したことになる。景品種別を選択した後、検索ボタン（Ｂ４）を押すと、サーバ１９は、選択された発注先の支店の選択された景品種別における最近発注の景品データを景品関係データファイルから抽出し、抽出したそれら景品データをクライアント端末１３，１４に送信する（景品データ第３送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図４０参照）。
【０１４５】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【０１４６】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第４送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【０１４７】
発注システム１０は、クライアント端末１３，１４を介して現在に近い過去の所定期間に発注した景品データの中から希望の景品種別の景品データのみを迅速に検索することができ、アミューズメント施設１１，１２において最近の売れ筋景品や人気景品を景品種別毎に具体的に把握することができる。この発注システム１０は、景品種別毎の売れ筋景品や人気景品を検索しつつそれらの景品を仕入れることで、アミューズメント施設１１，１２における遊技機の売上向上を図ることができる。
【０１４８】
図４１，図４２は、最近発注検索のうちのメーカー選択の一例を説明する図である。それら図に基づいて、メーカー検索の一例を説明すると、以下のとおりである。なお、認証手続きは、図２において説明したそれと同一である。また、メーカー選択前までの最近発注検索の手順は図３７において説明したそれと同一である。メーカー選択では、メーカー以外の他の項目の選択は行わないものとする。
【０１４９】
メーカーから最近発注の景品を選ぶ場合は、各種複数のメーカーから希望のそれを選択する。メーカーボタン（Ｂ２５）を押すと、メーカー入力エリアおよびメーカーのプルダウンリスト（Ｌ１９）が表示される。メーカー入力エリアにメーカーを入力し（複数入力可）またはプルダウンリスト（Ｌ１９）から希望のメーカーを選び（複数選択可）、メーカーを選択する。メーカーをブランクにすると、全メーカーを選択したことになる。メーカーを選択した後、検索ボタン（Ｂ４）を押すと、サーバ１９は、選択された発注先の支店の選択されたメーカーにおける最近発注の景品データを景品関係データファイルから抽出し、抽出したそれら景品データをクライアント端末１３，１４に送信する（景品データ第３送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図４２参照）。
【０１５０】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【０１５１】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第４送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【０１５２】
発注システム１０は、クライアント端末１３，１４を介して現在に近い過去の所定期間に発注した景品データの中から希望のメーカーの景品データのみを迅速に検索することができ、アミューズメント施設１１，１２において最近の売れ筋景品や人気景品をメーカー毎に具体的に把握することができる。この発注システム１０は、メーカー毎の売れ筋景品や人気景品を検索しつつそれらの景品を仕入れることで、アミューズメント施設１１，１２における遊技機の売上向上を図ることができる。
【０１５３】
図４３，図４４は、最近発注検索のうちのイメージキャラクター選択の一例を説明する図である。それら図に基づいて、キャラクター検索の一例を説明すると、以下のとおりである。なお、認証手続きは、図２において説明したそれと同一である。また、キャラクター選択前までの最近発注検索の手順は図３７において説明したそれと同一である。キャラクター選択では、キャラクター以外の他の項目の選択は行わないものとする。
【０１５４】
キャラクターから最近発注の景品を選ぶ場合は、各種複数のキャラクターから希望のそれを選択する。キャラクターボタン（Ｂ２６）を押すと、キャラクター入力エリアおよびキャラクターのプルダウンリスト（Ｌ２０）が表示される。キャラクター入力エリアにキャラクターを入力し（複数入力可）またはプルダウンリスト（Ｌ２０）から希望のキャラクターを選び（複数選択可）、キャラクターを選択する。キャラクターをブランクにすると、全キャラクターを選択したことになる。キャラクターを選択した後、検索ボタン（Ｂ４）を押すと、サーバ１９は、選択された発注先の支店の選択されたキャラクターにおける最近発注の景品データを景品関係データファイルから抽出し、抽出したそれら景品データをクライアント端末１３，１４に送信する（景品データ第３送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図４２参照）。
【０１５５】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【０１５６】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第４送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【０１５７】
発注システム１０は、クライアント端末１３，１４を介して現在に近い過去の所定期間に発注した景品データの中から希望のキャラクターの景品データのみを迅速に検索することができ、アミューズメント施設１１，１２において最近の売れ筋景品や人気景品をキャラクター毎に具体的に把握することができる。この発注システム１０は、キャラクター毎の売れ筋景品や人気景品を検索しつつそれらの景品を仕入れることで、アミューズメント施設１１，１２における遊技機の売上向上を図ることができる。
【０１５８】
図４５，図４６は、最近発注検索のうちのサイズ選択の一例を説明する図である。それら図に基づいて、サイズ検索の一例を説明すると、以下のとおりである。なお、認証手続きは、図２において説明したそれと同一である。また、サイズ選択前までの最近発注検索の手順は図３７において説明したそれと同一である。サイズ選択では、サイズ以外の他の項目の選択は行わないものとする。
【０１５９】
サイズから最近発注の景品を選ぶ場合は、各種複数のサイズから希望のそれを選択する。サイズボタン（Ｂ２７）を押すと、サイズのプルダウンリスト（Ｌ２１）が表示される。プルダウンリスト（Ｌ２１）から希望のサイズを選び（複数選択可）、サイズを選択する。サイズをブランクにすると、全サイズを選択したことになる。サイズを選択した後、検索ボタン（Ｂ４）を押すと、サーバ１９は、選択された発注先の支店の選択されたサイズにおける最近発注の景品データを景品関係データファイルから抽出し、抽出したそれら景品データをクライアント端末１３，１４に送信する（景品データ第３送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図４２参照）。
【０１６０】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【０１６１】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第４送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【０１６２】
発注システム１０は、クライアント端末１３，１４を介して現在に近い過去の所定期間に発注した景品データの中から希望のサイズの景品データのみを迅速に検索することができ、アミューズメント施設１１，１２において最近の売れ筋景品や人気景品をサイズ毎に具体的に把握することができる。この発注システム１０は、サイズ毎の売れ筋景品や人気景品を検索しつつそれらの景品を仕入れることで、アミューズメント施設１１，１２における遊技機の売上向上を図ることができる。
図４７，図４８は、最近発注検索のうちの価格帯選択の一例を説明する図である。それら図に基づいて、価格帯検索の一例を説明すると、以下のとおりである。なお、認証手続きは、図２において説明したそれと同一である。また、価格帯選択前までの最近発注検索の手順は図３７において説明したそれと同一である。価格帯選択では、価格帯以外の他の項目の選択は行わないものとする。
【０１６３】
価格帯から最近発注の景品を選ぶ場合は、各種複数の価格帯から希望のそれを選択する。価格帯ボタン（Ｂ２８）を押すと、価格帯入力エリアおよび価格帯のプルダウンリスト（Ｌ２２）が表示される。価格帯入力エリアに価格帯を入力し（複数入力可）またはプルダウンリスト（Ｌ２２）から希望の価格帯を選び（複数選択可）、価格帯を選択する。価格帯をブランクにすると、全価格帯を選択したことになる。価格帯を選択した後、検索ボタン（Ｂ４）を押すと、サーバ１９は、選択された発注先の支店の選択された価格帯における最近発注の景品データを景品関係データファイルから抽出し、抽出したそれら景品データをクライアント端末１３，１４に送信する（景品データ第３送信手段）。クライアント端末１３，１４のディスプレイ２１には、サーバ１９から送信された景品データが表示される。検索一覧表示エリア（Ａ３）のコード表示エリアには景品のコードが表示され、品名表示エリアには景品名が表示され、単価表示エリアには景品の単価が表示される（図４２参照）。
【０１６４】
クライアント端末１３，１４において、ディスプレイ２１の検索一覧表示エリア（Ａ３）に表示された景品データのうち、発注予定の景品データを選択する。検索一覧表示エリア（Ａ３）において発注予定の景品データを反転させると、そのデータが発注景品表示エリア（Ａ１）に表示される（図６参照）。発注入力画面において、納入予定日入力エリア（Ａ５）に納入予定日を入力するとともに、発注景品表示エリア（Ａ１）の数量表示エリア（Ａ６）に発注数量を入力すると、サーバ１９は、数量表示エリア（Ａ６）に発注数量を表示し、数量に単価を掛け合わせて金額を計算し、その金額を金額表示エリア（Ａ７）に表示し、発注景品表示エリア（Ａ１）の納入予定日表示エリア（Ａ８）に納入予定日を表示する（図７参照）。
【０１６５】
次に、メール送信チェックボックス（Ｂ１４）にチェックマークを入れ、印刷チェックボックス（Ｂ１５）にチェックマークを入れた後、登録ボタン（Ｂ１６）を押す。登録ボタン（Ｂ１６）を押すと、クライアント端末１３，１４は、発注景品表示エリア（Ａ１）に表示された景品データの発注を発注管理サーバ１９に要求する。サーバ１９は、クライアント端末１３，１４から発注予定の景品データの発注要求を受信すると、発注予定の景品データに対応する景品の発注伝票を作成する（発注伝票作成手段）。サーバ１９は、作成した発注伝票をハードディスクの景品関係データファイルに格納するとともに、その発注伝票をインターネット２０を介してクライアント端末１３，１４，１７，１８に送信する（景品データ第４送信手段）。サーバ１９から送信された発注伝票は、クライアント端末１３，１４，１７，１８のディスプレイ２１，２２に表示される他（図８参照）、プリンタから出力することができる。仕入先１５，１６は、発注伝票を受信することで、景品の注文を受け付ける。
【０１６６】
発注システム１０は、クライアント端末１３，１４を介して現在に近い過去の所定期間に発注した景品データの中から希望の価格帯の景品データのみを迅速に検索することができ、アミューズメント施設１１，１２において最近の売れ筋景品や人気景品を価格帯毎に具体的に把握することができる。この発注システム１０は、価格帯毎の売れ筋景品や人気景品を検索しつつそれらの景品を仕入れることで、アミューズメント施設１１，１２における遊技機の売上向上を図ることができる。
【０１６７】
図３９〜図４８に示す最近発注検索では、検索条件入力エリア（Ａ２）に表示される各種条件を任意に選択することができる。また、任意の条件は複数選択が可能である。たとえば、景品種別、メーカー、キャラクター、サイズ、価格帯の少なくとも一つを選択することができる。それらの２つ以上を選択すると、それら条件をすべて満たした最近発注の景品データが表示される。
【図面の簡単な説明】
【０１６８】
【図１】一例として示す発注システムの構成図。
【図２】カタログ検索の一例を説明する図。
【図３】カタログ検索の一例を説明する図。
【図４】カタログ検索の一例を説明する図。
【図５】カタログ検索の一例を説明する図。
【図６】仕入先への発注を説明する図。
【図７】仕入先への発注を説明する図。
【図８】クライアント端末のディスプレイに表示された発注伝票の一例を示す図。
【図９】カタログ検索のうちの景品種別選択の一例を説明する図。
【図１０】カタログ検索のうちの景品種別選択の一例を説明する図。
【図１１】カタログ検索のうちのメーカー選択の一例を説明する図。
【図１２】カタログ検索のうちのメーカー選択の一例を説明する図。
【図１３】カタログ検索のうちのイメージキャラクター選択の一例を説明する図。
【図１４】カタログ検索のうちのイメージキャラクター選択の一例を説明する図。
【図１５】カタログ検索のうちのサイズ選択の一例を説明する図。
【図１６】カタログ検索のうちのサイズ選択の一例を説明する図。
【図１７】カタログ検索のうちの価格帯選択の一例を説明する図。
【図１８】カタログ検索のうちの価格帯選択の一例を説明する図。
【図１９】カタログ検索のうちのコード選択の一例を説明する図。
【図２０】カタログ検索のうちのコード選択の一例を説明する図。
【図２１】カタログ検索のうちの景品名選択の一例を説明する図。
【図２２】カタログ検索のうちの景品名選択の一例を説明する図。
【図２３】景品検索のうちの景品種別選択の一例を説明する図。
【図２４】景品検索のうちの景品種別選択の一例を説明する図。
【図２５】景品検索のうちのメーカー選択の一例を説明する図。
【図２６】景品検索のうちのメーカー選択の一例を説明する図。
【図２７】景品検索のうちのイメージキャラクター選択の一例を説明する図。
【図２８】景品検索のうちのイメージキャラクター選択の一例を説明する図。
【図２９】景品検索のうちのサイズ選択の一例を説明する図。
【図３０】景品検索のうちのサイズ選択の一例を説明する図。
【図３１】景品検索のうちの価格帯選択の一例を説明する図。
【図３２】景品検索のうちの価格帯選択の一例を説明する図。
【図３３】景品検索のうちのコード選択の一例を説明する図。
【図３４】景品検索のうちのコード選択の一例を説明する図。
【図３５】景品検索のうちの景品名選択の一例を説明する図。
【図３６】景品検索のうちの景品名選択の一例を説明する図。
【図３７】最近発注検索の一例を説明する図。
【図３８】最近発注検索の一例を説明する図。
【図３９】最近発注検索のうちの景品種別選択の一例を説明する図。
【図４０】最近発注検索のうちの景品種別選択の一例を説明する図
【図４１】最近発注検索のうちのメーカー選択の一例を説明する図。
【図４２】最近発注検索のうちのメーカー選択の一例を説明する図。
【図４３】最近発注検索のうちのイメージキャラクター選択の一例を説明する図。
【図４４】最近発注検索のうちのイメージキャラクター選択の一例を説明する図。
【図４５】最近発注検索のうちのサイズ選択の一例を説明する図。
【図４６】最近発注検索のうちのサイズ選択の一例を説明する図。
【図４７】最近発注検索のうちの価格帯選択の一例を説明する図。
【図４８】最近発注検索のうちの価格帯選択の一例を説明する図。
【符号の説明】
【０１６９】
１０    発注システム
１１    アミューズメント施設
１２    アミューズメント施設
１３    施設クライアント端末（第１端末装置）
１４    施設クライアント端末（第１端末装置）
１５    仕入先
１６    仕入先
１７    仕入先クライアント端末（第２端末装置）
１８    仕入先クライアント端末（第２端末装置）
１９    発注管理サーバ（サーバ装置）
２０    インターネット
【図１】
2009301255.tif 000003
【図２】
2009301255.tif 000004
【図３】
2009301255.tif 000005
【図４】
2009301255.tif 000006
【図５】
2009301255.tif 000007
【図６】
2009301255.tif 000008
【図７】
2009301255.tif 000009
【図８】
2009301255.tif 000010
【図９】
2009301255.tif 000011
【図１０】
2009301255.tif 000012
【図１１】
2009301255.tif 000013
【図１２】
2009301255.tif 000014
【図１３】
2009301255.tif 000015
【図１４】
2009301255.tif 000016
【図１５】
2009301255.tif 000017
【図１６】
2009301255.tif 000018
【図１７】
2009301255.tif 000019
【図１８】
2009301255.tif 000020
【図１９】
2009301255.tif 000021
【図２０】
2009301255.tif 000022
【図２１】
2009301255.tif 000023
【図２２】
2009301255.tif 000024
【図２３】
2009301255.tif 000025
【図２４】
2009301255.tif 000026
【図２５】
2009301255.tif 000027
【図２６】
2009301255.tif 000028
【図２７】
2009301255.tif 000029
【図２８】
2009301255.tif 000030
【図２９】
2009301255.tif 000031
【図３０】
2009301255.tif 000032
【図３１】
2009301255.tif 000033
【図３２】
2009301255.tif 000034
【図３３】
2009301255.tif 000035
【図３４】
2009301255.tif 000036
【図３５】
2009301255.tif 000037
【図３６】
2009301255.tif 000038
【図３７】
2009301255.tif 000039
【図３８】
2009301255.tif 000040
【図３９】
2009301255.tif 000041
【図４０】
2009301255.tif 000042
【図４１】
2009301255.tif 000043
【図４２】
2009301255.tif 000044
【図４３】
2009301255.tif 000045
【図４４】
2009301255.tif 000046
【図４５】
2009301255.tif 000047
【図４６】
2009301255.tif 000048
【図４７】
2009301255.tif 000049
【図４８】
2009301255.tif 000050